(57)【特許請求の範囲】
【請求項１】
扉の自由側端縁部内面のサムターンを取り外した後の扉面開口を覆うように装着された内側エスカチオンと、この内側エスカチオン内において錠箱内のデッドカムと同軸に回動可能に支承された杆体で、外端にデッドカムに係合する連結部材を、またこの連結部材の内側にフランジを夫々装着すると共に、このフランジに施錠用従動ピン及び解錠用従動ピンを回動軸に関し対称的に植設した従動軸と、内側エスカチオン内においてこの従動軸から離間した位置に回動可能に設けられ、扉外面に設けられたノブやハンドル等の外部操作部材の、扉を貫通して内側エスカチオン内に挿入された内端に同軸に結合されると共に、回動軸に関して対称的に張り出した一対の作動端を形成した駆動カムと、この駆動カムの一端と従動軸の施錠用従動ピンとの間に延在し、長さ方向に移動可能に案内された施錠ボードと、駆動カムの他端と従動軸の解錠用従動ピンとの間に延在し、施錠ボードと平行な関係位置を保って長さ方向に移動可能に案内された解錠ボードと、駆動カムに関して施、解錠ボードとは反対側に配設され、施、解錠ボードと同じ方向に移動可能に案内されると共に、少なくとも解錠ボードに引き違い可能に連結されたリトラクターと、基端をこのリトラクター上に回動可能に支承され、自由端がリトラクター外に突出するように付勢されたロッキングレバーと、内側エスカチオン内に固設され、駆動カムに外力が作用しない常態においてロッキングレバーの自由端と係合してリトラクターを係止する係止部材と、通電時ロッキングレバーをその付勢力に抗して係止部材から解放するように作動する電磁アクチュエータとを有することを特徴とする電気錠装置。
【発明の詳細な説明】
【０００１】
【発明の属する技術分野】
この発明は、電気錠装置に係り、特に、既設の機械的なシリンダー錠に後付けしてこれを電気錠に変換することができる電気錠装置に関する。
【０００２】
【従来の技術】
電気錠は、電磁アクチュエータによって錠前の錠止機構を制御するもので、機械的な鍵を用いないので鍵の複製を心配する必要が無く安全性が高い上に、錠前の遠隔操作が可能であるという利点がある。
【０００３】
【発明が解決しようとする課題】
しかしながら、従来の電気錠は、例えば新築の家屋の扉口に装備する場合には比較的容易に取り付けることができるが、既設の機械的なシリンダー錠を電気錠に取り替える場合には、シリンダー錠や錠箱をそっくり交換しなければならない。
【０００４】
その為、扉の錠箱を収納していた空洞部を掘り広げたり修正したりする必要があり、その交換作業は一般に面倒でしかも長時間にわたり、場合によっては１個の電気錠の交換に半日掛かってしまうこともある。
【０００５】
また、交換したシリンダー錠用の錠箱は通常廃棄してしまうから、資源の無駄遣いになってしまう、という不都合もある。
【０００６】
そこで、この発明は、既設の機械的なシリンダー錠の錠前を電気錠に変換することができ、しかも錠箱も既設のものをその儘使用することができる電気錠装置を提供することを目的としている。
【０００７】
【課題を解決するための手段】
上記の目的を達成するため、請求項１に記載の発明は、扉の自由側端縁部内面のサムターンを取り外した後の扉面開口を覆うように装着された内側エスカチオンと、この内側エスカチオン内において錠箱内のデッドカムと同軸に回動可能に支承された杆体で、外端にデッドカムに係合する連結部材を、またこの連結部材の内側にフランジを夫々装着すると共に、このフランジに施錠用従動ピン及び解錠用従動ピンを回動軸に関し対称的に植設した従動軸と、内側エスカチオン内においてこの従動軸から離間した位置に回動可能に設けられ、扉外面に設けられたノブやハンドル等の外部操作部材の、扉を貫通して内側エスカチオン内に挿入された内端に同軸に結合されると共に、回動軸に関して対称的に張り出した一対の作動端を形成した駆動カムと、この駆動カムの一端と従動軸の施錠用従動ピンとの間に延在し、長さ方向に移動可能に案内された施錠ボードと、駆動カムの他端と従動軸の解錠用従動ピンとの間に延在し、施錠ボードと平行な関係位置を保って長さ方向に移動可能に案内された解錠ボードと、駆動カムに関して施、解錠ボードとは反対側に配設され、施、解錠ボードと同じ方向に移動可能に案内されると共に、少なくとも解錠ボードに引き違い可能に連結されたリトラクターと、基端をこのリトラクター上に回動可能に支承され、自由端がリトラクター外に突出するように付勢されたロッキングレバーと、内側エスカチオン内に固設され、駆動カムに外力が作用しない常態においてロッキングレバーの自由端と係合してリトラクターを係止する係止部材と、通電時ロッキングレバーをその付勢力に抗して係止部材から解放するように作動する電磁アクチュエータとを有することを特徴とする。
【０００８】
【発明の実施の形態】
以下、この発明の一実施例を図面を参照して説明する。
図１において符号１は内側エスカチオンを示し、この内側エスカチオン１は、扉の自由側端縁部内面に、既設の機械的なシリンダー錠を有する錠前のサムターンを取り外した後の扉面の開口を覆うように装着される。
【０００９】
ちなみに、図１において内側エスカチオン１の右側が扉（図示せず）であり、この発明による電気錠装置を既設のシリンダー錠を有する錠前に適用する場合、上記したようにサムターンを取り外す作業と、内側エスカチオンを装着する作業の他、後述する電磁アクチュエータ２を収納する穴、及び外部操作部材を通す穴を扉面に穿設するだけで良い。
【００１０】
また、サムターンを取り外した後に残るシリンダー錠及び錠箱は、その儘電気錠装置の構成部材として利用する。
【００１１】
内側エスカチオン１内には、一面が開いた細長い箱状のケース３が設けられており、このケース３内に後述する諸機能部材が収容、案内されている。
【００１２】
このケース３の開口を覆うように、蓋板４がケース３に結合されるが、図面を明瞭にするため内側エスカチオン１を省略して示す図２の正面図においては、この蓋板４の図示を省略してある。
【００１３】
内側エスカチオン１の上方には、図１に示すように、扉内の錠箱のデッドカム（図示せず）と同軸の従動軸５が回動可能に支承されている。
【００１４】
この従動軸５の外端（図１で右端）には、錠箱内のデッドカムの通常は十字形の係合穴と係合する平板状の連結部材６が装着されている。この連結部材６は、それまで装着されていたサムターンのそれと同形であることが望ましい。
【００１５】
また、この連結部材６の内側（図１で左側）における従動軸５には、円板状のフランジ７が一体に結合されており、このフランジ７の内側には、施錠用従動ピン８と解錠用従動ピン９とが相互に１８０度の角度間隔を保って、従動軸５の回動軸に関し対称的に植設されている。
【００１６】
なお、この施、解錠用従動ピン８、９のフランジ７における角度位置は、図２に示すように、フランジ７を時計盤面に見立て、夫々１時半と７時半の角度位置に設定するものとする。
【００１７】
また、従動軸５の室内側に突出した内端には、図１に示すように、サムターン摘み１０が装着されている。
【００１８】
一方、図１及び図２に示すように、内側エスカチオン１内において従動軸５より離間した下方には、駆動カム１１が回動可能に支承されている。
【００１９】
図示の実施例における駆動カム１１は、その回動軸に関して対称的に張り出した一対の作動端１２、１２を有する筒体で、その筒部には回動軸と同軸の角孔１３（図２参照）が形成されている。
【００２０】
他方、扉外面にはノブやハンドル等の外部操作部材（図示せず）が回動可能に装着されており、この外部操作部材の横断面正方形の内端が扉を貫通して上記角孔１３に挿通され、このようにして外部操作部材と駆動カム１１とは回動方向において一体的に結合される。
【００２１】
上記駆動カムの一方の作動端（図２で右方の作動端）１２と従動軸の施錠用従動ピン８との間には上下方向に長い施錠ボード１４が配設されている。
【００２２】
この施錠ボード１４は、例えば板材を断面Ｌ字形に折曲して構成した部材で、図面を明瞭にするため図示しない案内部材によって上下方向に移動可能に案内されている。
【００２３】
また、上記駆動カムの他方の作動端（図２で左方の作動端）１２と従動軸の解錠用従動ピン９との間には、上下方向に長い解錠ボード１５が配設されている。
【００２４】
この解錠ボード１５も、施錠ボード１４と同様に板材を断面Ｌ字形に折曲して構成した部材で、これも図示を省略する案内部材によって上下方向に移動可能に案内されている。
【００２５】
なお、図示の実施例においては、これら施、解錠ボード１４、１５は、図面を明瞭にするため図示しないばね部材により図１及び図２で下方に付勢されているが、駆動カム１１に外力が作用しない常態においては、夫々の下端を側方に向けて折曲げて形成した係合部１４ａ、１５ａを介して駆動カムの作動端１２に係止され、図示の待機位置を保つ。
【００２６】
上記駆動カム１１の下方には、リトラクター１６が上下方向に移動可能に案内されている。
【００２７】
図示の実施例におけるリトラクター１６は、上部中央に外部操作部材の作動軸との干渉を避けるためにＵ字形の切欠を形成した板状体で、大体の形状が縦長の矩形であり、その上端部両側端縁に形成されたＬ字形の案内板１６ａ（図１参照）を室内側に直角に折曲げている。
【００２８】
この案内板１６ａは、前記ケース３の側板内面と摺接してリトラクター１６を上下方向に案内すると共に、上記施、解錠ボード１４、１５の下端の係合部１４ａ、１５ａに上方から係合している。
【００２９】
その為、リトラクター１６は施、解錠ボード１４、１５とは独立に上方に移動できるが、下方に移動するときには施、解錠ボード１４、１５を引き連れて下降する。換言すれば、リトラクター１６は施、解錠ボード１４、１５と引き違い可能に係合している。
【００３０】
このリトラクター１６の内面下方には、ロッキングレバー１７の基端が回動自在に軸支されている。
【００３１】
このロッキングレバー１７は、捩りばねとしての付勢ばね２０（図２参照）の弾力により、その自由端が時計方向に回動してリトラクター１６外に突出する方向に付勢されている。
【００３２】
そして、このロッキングレバー１７の自由端部に突設された係合片１７ａは、駆動カム１１に外力が作用しない常態においてケース３の側板の端縁に形成された係止切欠１８に入り込んでいる（図２参照）。
【００３３】
また、前記蓋板４の外面下方には、例えばソレノイド等の電磁アクチュエータ２が装着されており、このソレノイド２のプランジャの先端に装着された作動板１９の先端は、蓋板４に開口した図示しないスリットを通って、図２に示すように、上記ロッキングレバー１７の斜面部に下方から係合可能に臨んでいる。
【００３４】
上記のように構成されたこの発明の一実施例による電気錠装置において、図１及び図２は施錠状態を示している。すなわち、図２に示す角度位置の連結部材６は、錠箱内のデッドカムを錠止角度位置、すなわちデッドボルトを扉枠のストライク孔に投入する角度位置に進めている。
【００３５】
すなわち、この施錠状態においては、解錠の為駆動カム１１を図２において時計方向に回し、その作動端１２により解錠ボード１５を押上げようとすると、解錠ボード１５の下端に形成された係合部１５ａが案内板１６ａを介してリトラクター１６を上方に押上げようとする。
【００３６】
しかしながら、施錠状態においてはリトラクター１６に担持されたロッキングレバー１７の自由端が係合切欠１８に係止されているから、解錠ボード１５及びこれに連結されたリトラクター１６は移動することができない。
【００３７】
一方、扉外面に装着されたテンキー等の暗証番号入力盤から正しい暗証符号を入力し、或いは室内の制御盤から解錠信号を制御装置に供給すると、電磁アクチュエータ２が通電される。
【００３８】
すると、ソレノイドのプランジャがコイル内に没入する結果、図２において作動板１９が上昇し、ロッキングレバー１７の傾斜部と係合してこれを反時計方向に所定の角度動かし、図２に鎖線で示すように、ロッキングレバー１７と係止切欠１８との係合を解く。
【００３９】
この状態で駆動カム１１を時計方向に回動させると、解錠ボード１５及びリトラクター１６は一体的に上昇して解錠ボード１５の上端縁が解錠用従動ピン９に当接し、更なる解錠ボード１５の上昇によってフランジ７が時計方向に回動して図３の角度位置に至る。
【００４０】
なお、リトラクター１６の上昇によって電磁アクチュエータ２の作動板１９とロッキングレバー１７との係合が解けるが、自由になったロッキングレバー１７の自由端はケース３の側板内面に当接してそれ以上回動しないから、リトラクター１６の上昇に支障は生じない。
【００４１】
また、図３に示すように駆動カム１１が大きく回動するとその作動端１２がケース３の側板と干渉するので、この干渉を避けるため側板の一部を切り欠いておくのは勿論である。
【００４２】
更にまた、施錠ボード１４とリトラクター１６とは引き違い可能に係合しているから、解錠操作時リトラクター１６は施錠ボードを図２に示す施錠位置に残して上昇し、その為ピンを植設したフランジと施錠ボード１４との干渉は生じない。
【００４３】
図３に示す解錠時には、従動軸５の連結部材が例えば９０度回動し、この連結部材６によって９０度解錠方向に回動された錠箱内のデッドカムはデッドボルトを扉枠のストライク孔から引き抜いて錠箱内に収納し、このようにして解錠操作が終了する。
【００４４】
解錠後ハンドル等の外部操作部材から手を離せば、外部操作部材の戻しばねが駆動カム１１を図２の角度位置に復帰させ、解錠ボード１５も図２の待機位置に戻る。
【００４５】
解錠された錠前を再施錠するには、電磁アクチュエータ２への通電後駆動カム１１を図２で反時計方向に回す。
【００４６】
すると、今度は解錠ボード１５を図２の待機位置に残して、施錠ボード１４とリトラクター１６とが一体的に上昇し、図３に示す角度位置にあるフランジの施錠用従動ピン８を施錠ボード１４が押上げて図２に示す角度位置に戻す。すなわち施錠する。
【００４７】
施錠後外部操作部材から手を離せば、自動的に諸部材が図２に示す待機位置に戻るのは上記した解錠操作と同様である。
【００４８】
なお、施錠ボード１４をリトラクター１６に引き違い可能に係合させた図示の実施例では、施錠時にも暗証符号の入力操作が必要であるが、施錠ボードとリトラクターとの係合を解けば、駆動カム１１を施錠方向に回動させれば無条件に施錠を行うことができるようになる。
【００４９】
また、図２から明らかなように、本発明装置の機構は待機状態においては従動軸５と干渉しないので、室内側からはサムターン摘み１０を操作することにより、室外側からは従来のシリンダ錠の合鍵により、夫々電気錠とは独立に施解錠操作をすることができる。
【００５０】
【発明の効果】
以上の説明から明らかなように、この発明は、室内側から錠箱内のデッドカムを制御するから、従来の錠箱をその儘利用して、後付けにより機械的なシリンダー錠の錠前を電気錠に変換する、という所期の目的を達成する。
【図面の簡単な説明】
【図１】この発明の一実施例による電気錠装置の一部断面側面図。
【図２】そのケースの蓋板を取り外して示す正面図で、施錠状態を示す。
【図３】図２と同様の正面図で、解錠操作時の状態を示す。
【符号の説明】
１  内側エスカチオン
２  電磁アクチュエータ
５  従動軸
６  連結部材
７  フランジ
８  施錠用従動ピン
９  解錠用従動ピン
１０  サムターン摘み
１１  駆動カム
１２  作動端
１４  施錠ボード
１５  解錠ボード
１６  リトラクター
１７  ロッキングレバー
１８  係止切欠
１９  作動板
【図１】
0003844812.tif 000002
【図２】
0003844812.tif 000003
【図３】
0003844812.tif 000004